(57)【要約】【課題】妨害磁界発生用のコイルとコイルが巻回されるコアとが収容されるケース体が設けられていても、妨害磁界発生装置から発生する騒音を抑制することが可能な妨害磁界発生装置を提供する。【解決手段】カードに記録された磁気データの不正な読取りを妨害するための磁界を発生させる妨害磁界発生装置１０は、磁性材料で形成されるコア１１と、コア１１に巻回される妨害磁界発生用のコイル１２と、コア１１およびコイル１２が収容されるケース体１４と、ケース体１４の内部に充填されコア１１およびコイル１２を覆う樹脂封止部材１５とを備えている。コア１１およびコイル１２は、ケース体１４の内側面に接触しないようにケース体１４の内側面から離れており、コア１１およびコイル１２と、ケース体１４の内側面との間には、樹脂封止部材１５の一部が配置されている。【選択図】図３
2019175529.tif 000002
【特許請求の範囲】
【請求項１】
カードリーダで使用され、カードに記録された磁気データの不正な読取りを妨害するための磁界を発生させる妨害磁界発生装置において、
磁性材料で形成されるコアと、前記コアに巻回される妨害磁界発生用のコイルと、前記コアおよび前記コイルが収容されるケース体と、前記ケース体の内部に充填され前記コアおよび前記コイルを覆う樹脂封止部材とを備え、
前記コアおよび前記コイルは、前記ケース体の内側面に接触しないように前記ケース体の内側面から離れており、
前記コアおよび前記コイルと、前記ケース体の内側面との間には、前記樹脂封止部材の一部が配置されていることを特徴とする妨害磁界発生装置。
【請求項２】
少なくとも一部が前記ケース体に収容されるとともに前記コイルが電気的に接続される回路基板を備え、
前記コイルは、前記回路基板に固定されていることを特徴とする請求項１記載の妨害磁界発生装置。
【請求項３】
前記ケース体には、前記回路基板を支持する基板支持部が形成されていることを特徴とする請求項２記載の妨害磁界発生装置。
【請求項４】
少なくとも一部が前記ケース体に収容されるとともに前記コイルが電気的に接続される回路基板を備え、
前記回路基板は、前記コアおよび前記コイルを少なくとも３方向から覆っていることを特徴とする請求項１から３のいずれかに記載の妨害磁界発生装置。
【請求項５】
前記回路基板は、前記コアおよび前記コイルを挟む２個のリジッド基板と、２個の前記リジッド基板を繋ぐフレキシブルプリント基板とを備えるリジッドフレキシブル基板であり、前記コアおよび前記コイルを３方向から覆っていることを特徴とする請求項４記載の妨害磁界発生装置。
【請求項６】
前記コアは、別体で形成される複数のコア分割体を備え、
複数の前記コア分割体は、一体化されていることを特徴とする請求項１から５のいずれかに記載の妨害磁界発生装置。
【請求項７】
前記コア分割体として、直線の棒状に形成される第１コア分割体と、直線の棒状に形成され前記第１コア分割体と平行に配置される第２コア分割体と、直線の棒状に形成され前記第１コア分割体と平行に配置される第３コア分割体と、直線の棒状に形成され前記第１コア分割体と平行に配置される第４コア分割体と、直線の棒状に形成され前記第１コア分割体の一端部、前記第２コア分割体の一端部、前記第３コア分割体の一端部および前記第４コア分割体の一端部が固定される連結コア分割体とを備え、
前記第１コア分割体、前記第２コア分割体、前記第３コア分割体および前記第４コア分割体のそれぞれに前記コイルが巻回されていることを特徴とする請求項６記載の妨害磁界発生装置。
【請求項８】
請求項１から７のいずれかに記載の妨害磁界発生装置を備えることを特徴とするカードリーダ。
【発明の詳細な説明】
【技術分野】
【０００１】
本発明は、カードリーダで使用される妨害磁界発生装置に関する。また、本発明は、この妨害磁界発生装置を備えるカードリーダに関する。
【背景技術】
【０００２】
従来、カードに記録された磁気データを不正に読み取るスキミングを阻止するために、カードリーダで使用される妨害磁界発生装置が知られている（たとえば、特許文献１参照）。特許文献１に記載の妨害磁界発生装置は、カードに記録された磁気データの不正な読取りを妨害するための磁界を発生させる。この妨害磁界発生装置は、カード挿入口が形成されるカード挿入部の内部に配置されている。また、この妨害磁界発生装置は、コアと、ボビンを介してコアに巻回される妨害磁界発生用のコイルとを備えている。コイルには、交流が供給されている。
【先行技術文献】
【特許文献】
【０００３】
【特許文献１】国際公開第２０１５／１３３５６７号
【発明の概要】
【発明が解決しようとする課題】
【０００４】
本願発明者は、特許文献１に記載の妨害磁界発生装置において、コアおよびコイルをケース体に収容することで、カード挿入部の内部に配置される前の妨害磁界発生装置の取り扱いを容易にすることを検討している。しかしながら、コアおよびコイルが収容されるケース体を設ける場合、妨害磁界発生装置から比較的強い妨害磁界を発生させようとして、比較的大きな交流をコイルに供給すると、コアが振動するとともにコアの振動がケース体に伝達されて、妨害磁界発生装置から比較的大きな騒音が発生することが本願発明者の検討によって明らかになった。カードリーダのユーザは、カード挿入口にカードを挿入するとともにカード挿入口から排出されたカードを抜き取るため、カード挿入口が形成されるカード挿入部の内部の妨害磁界発生装置から比較的大きな騒音が発生すると、カードリーダのユーザに不快感を与えてしまう。
【０００５】
そこで、本発明の課題は、カードに記録された磁気データの不正な読取りを妨害するための磁界を発生させる妨害磁界発生装置において、妨害磁界発生用のコイルとコイルが巻回されるコアとが収容されるケース体が設けられていても、妨害磁界発生装置から発生する騒音を抑制することが可能な妨害磁界発生装置を提供することにある。また、本発明の課題は、かかる妨害磁界発生装置を備えるカードリーダを提供することにある。
【課題を解決するための手段】
【０００６】
上記の課題を解決するため、本発明の妨害磁界発生装置は、カードリーダで使用され、カードに記録された磁気データの不正な読取りを妨害するための磁界を発生させる妨害磁界発生装置において、磁性材料で形成されるコアと、コアに巻回される妨害磁界発生用のコイルと、コアおよびコイルが収容されるケース体と、ケース体の内部に充填されコアおよびコイルを覆う樹脂封止部材とを備え、コアおよびコイルは、ケース体の内側面に接触しないようにケース体の内側面から離れており、コアおよびコイルと、ケース体の内側面との間には、樹脂封止部材の一部が配置されていることを特徴とする。
【０００７】
本発明の妨害磁界発生装置では、ケース体に収容されるコアおよびコイルが、ケース体の内側面に接触しないようにケース体の内側面から離れている。そのため、本発明では、コイルに交流が供給されたときのコアの振動がケース体に伝達されるのを抑制することが可能になる。したがって、本発明では、コイルとコアとが収容されるケース体が設けられていても、妨害磁界発生装置から発生する騒音を抑制することが可能になる。
【０００８】
また、本発明では、コアおよびコイルとケース体の内側面との間に樹脂封止部材の一部が配置されているため、コアおよびコイルとケース体の内側面との間に配置される樹脂封止部材の一部によって、コアおよびコイルが、ケース体の内側面に接触していない状態を確実に維持することが可能になる。また、本発明では、ケース体の内部に充填される樹脂封止部材によってコアおよびコイルが覆われているため、樹脂封止部材によって、コアおよびコイルの防水性を確保することが可能になるとともに、コイルの放熱性を確保することが可能になる。
【０００９】
本発明において、妨害磁界発生装置は、少なくとも一部がケース体に収容されるとともにコイルが電気的に接続される回路基板を備え、コイルは、回路基板に固定されていることが好ましい。このように構成すると、コア、コイルおよび回路基板をケース体に収容する際に、一体になっているコアとコイルと回路基板とをケース体に収容することが可能になる。したがって、コア、コイルおよび回路基板をケース体に収容する際の、コア、コイルおよび回路基板の取り扱いが容易になる。
【００１０】
本発明において、ケース体には、回路基板を支持する基板支持部が形成されていることが好ましい。このように構成すると、基板支持部を利用して、コアおよびコイルがケース体の内側面に接触しないように、コア、コイルおよび回路基板をケース体に対して位置決めすることが可能になる。したがって、コアおよびコイルがケース体の内側面から離れた状態を容易に維持しつつ、コアおよびコイルとケース体の内側面との間に樹脂封止部材の一部を充填することが可能になる。その結果、コアおよびコイルとケース体の内側面との間に樹脂封止部材の一部を充填する際の作業を容易に行うことが可能になる。
【００１１】
本発明において、妨害磁界発生装置は、少なくとも一部がケース体に収容されるとともにコイルが電気的に接続される回路基板を備え、回路基板は、コアおよびコイルを少なくとも３方向から覆っていることが好ましい。このように構成すると、コアおよびコイルを少なくとも３方向から覆う回路基板によって、コアおよびコイルが、ケース体の内側面に接触していない状態をより確実に維持することが可能になる。また、このように構成すると、コアおよびコイルを少なくとも３方向から覆う回路基板によって、犯罪者によるコイル等の破壊行為を阻止しやすくなる。
【００１２】
本発明において、回路基板は、コアおよびコイルを挟む２個のリジッド基板と、２個のリジッド基板を繋ぐフレキシブルプリント基板とを備えるリジッドフレキシブル基板であり、コアおよびコイルを３方向から覆っていることが好ましい。このように構成すると、コアおよびコイルを３方向から覆う回路基板が一体になっているため、回路基板の取り扱いが容易になる。
【００１３】
本発明において、コアは、別体で形成される複数のコア分割体を備え、複数のコア分割体は、一体化されていることが好ましい。本願発明者の検討によれば、このように構成すると、コアが別体で形成される複数のコア分割体を備えているため、個々のコア分割体の固有振動数を高くして、個々のコア分割体の固有振動数を人間の可聴周波数帯域からずらすことが可能になる。また、本願発明者の検討によれば、このように構成すると、人間の可聴周波数帯域から固有振動数をずらすことが可能な複数のコア分割体が一体化されてコアが形成されているため、コイルを小型化しても、妨害磁界発生装置から発生する騒音を抑制することが可能になる。
【００１４】
本発明において、妨害磁界発生装置は、コア分割体として、直線の棒状に形成される第１コア分割体と、直線の棒状に形成され第１コア分割体と平行に配置される第２コア分割体と、直線の棒状に形成され第１コア分割体と平行に配置される第３コア分割体と、直線の棒状に形成され第１コア分割体と平行に配置される第４コア分割体と、直線の棒状に形成され第１コア分割体の一端部、第２コア分割体の一端部、第３コア分割体の一端部および第４コア分割体の一端部が固定される連結コア分割体とを備え、第１コア分割体、第２コア分割体、第３コア分割体および第４コア分割体のそれぞれにコイルが巻回されていることが好ましい。このように構成すると、第１コア分割体、第２コア分割体、第３コア分割体、第４コア分割体および連結コア分割体が直線の棒状に形成されているため、コア分割体を容易に形成することが可能になる。
【００１５】
本発明の妨害磁界発生装置は、カードリーダに用いることができる。このカードリーダでは、妨害磁界発生用のコイルとコイルが巻回されるコアとが収容されるケース体が設けられていても、妨害磁界発生装置から発生する騒音を抑制することが可能になる。
【発明の効果】
【００１６】
以上のように、本発明では、カードに記録された磁気データの不正な読取りを妨害するための磁界を発生させる妨害磁界発生装置において、妨害磁界発生用のコイルとコイルが巻回されるコアとが収容されるケース体が設けられていても、妨害磁界発生装置から発生する騒音を抑制することが可能になる。
【図面の簡単な説明】
【００１７】
【図１】本発明の実施の形態にかかるカードリーダの前端側部分の構成を説明するための概略側面図である。
【図２】図１に示す妨害磁界発生装置の斜視図である。
【図３】図２に示す妨害磁界発生装置の断面図である。
【図４】図２に示す妨害磁界発生装置の分解斜視図である。
【図５】図４に示すコアの分解斜視図である。
【図６】本発明の他の実施の形態にかかるコアの構成を説明するための図である。
【図７】本発明の他の実施の形態にかかる妨害磁界発生装置の斜視図である。
【図８】図７に示す妨害磁界発生装置の断面図である。
【図９】図８のＥ−Ｅ方向からコア、コイルおよび回路基板を示す図である。
【発明を実施するための形態】
【００１８】
以下、図面を参照しながら、本発明の実施の形態を説明する。
【００１９】
（カードリーダの概略構成）
図１は、本発明の実施の形態にかかるカードリーダ１の前端側部分の構成を説明するための概略側面図である。
【００２０】
本形態のカードリーダ１は、カード２に記録された磁気データの読取りやカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。カードリーダ１は、カード２が挿入されるカード挿入口３が形成されるカード挿入部４と、本体部５とを備えている。カードリーダ１の内部には、カード挿入口３から挿入されたカード２が移動するカード移動路６が形成されている。
【００２１】
また、カードリーダ１は、カード２に記録された磁気データの読取りおよびカード２への磁気データの記録の少なくともいずれか一方を行う磁気ヘッド７と、カード２を搬送するための駆動ローラ８およびパッドローラ９とを備えている。さらに、カードリーダ１は、カード２に記録された磁気データの不正な読取りを妨害するための磁界を発生させる妨害磁界発生装置１０を備えている。すなわち、妨害磁界発生装置１０は、カードリーダ１で使用される。
【００２２】
本形態では、カード移動路６において、カード２は、図１に示すＸ方向へ移動する。また、カード挿入口３から挿入されたカード２は、Ｘ１方向側に移動してカードリーダ１の内部に取り込まれ、カード挿入口３から排出されるカード２は、Ｘ２方向側に移動する。また、Ｘ方向に直交する図１等のＺ方向は、カードリーダ１に取り込まれたカード２の厚さ方向であり、Ｘ方向とＺ方向とに直交する図１等のＹ方向は、カードリーダ１に取り込まれたカード２の幅方向である。
【００２３】
以下の説明では、Ｘ方向を「前後方向」とし、Ｙ方向を「左右方向」とし、Ｚ方向を「上下方向」とする。また、前後方向の一方側（図１等のＸ１方向側）を「後ろ」側とし、その反対側である図１等のＸ２方向側を「前」側とし、上下方向の一方側（図１等のＺ１方向側）を「上」側とし、その反対側である図１等のＺ２方向側を「下」側とする。
【００２４】
カード２は、たとえば、厚さが０．７〜０．８ｍｍ程度の略長方形状の塩化ビニール製のカードである。カード２の裏面には、磁気データが記録される磁気ストライプが形成されている。磁気ストライプは、略長方形状に形成されるカード２の長手方向に沿って形成されている。カード２は、カード２の裏面が下側を向いた状態で、かつ、カード２の長手方向が前後方向と略一致した状態で、カードリーダ１に挿入されて、カード移動路６で搬送される。なお、カード２には、ＩＣチップが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２５】
カード挿入部４は、本体部５の前端面に取り付けられている。また、カード挿入部４は、中空状に形成されている。妨害磁界発生装置１０は、中空状に形成されるカード挿入部４の内部に配置されている。本形態の妨害磁界発生装置１０は、カード移動路６の上側に配置されている。ただし、本形態の妨害磁界発生装置１０は、カード移動路６の下側に配置されていても良い。妨害磁界発生装置１０の具体的な構成については後述する。
【００２６】
磁気ヘッド７、駆動ローラ８およびパッドローラ９は、本体部５の内部に配置されている。磁気ヘッド７は、カード移動路６に下側から臨むように配置されている。また、磁気ヘッド７は、左右方向において、カード２の磁気ストライプが通過する位置に配置されている。駆動ローラ８には、ベルトやプーリ等の動力伝達機構を介してモータが連結されている。駆動ローラ８とパッドローラ９とは、上下方向で対向している。パッドローラ９は、駆動ローラ８に向かって付勢されている。カード２は、駆動ローラ８とパッドローラ９との間に挟まれた状態で搬送される。
【００２７】
（妨害磁界発生装置の構成）
図２は、図１に示す妨害磁界発生装置１０の斜視図である。図３は、図２に示す妨害磁界発生装置１０の断面図である。図４は、図２に示す妨害磁界発生装置１０の分解斜視図である。図５は、図４に示すコア１１の分解斜視図である。
【００２８】
妨害磁界発生装置１０は、磁性材料で形成されるコア１１と、コア１１に巻回される妨害磁界発生用のコイル（励磁用のコイル）１２とを備えている。また、妨害磁界発生装置１０は、コイル１２が電気的に接続される回路基板１３と、コア１１、コイル１２および回路基板１３が収容されるケース体１４と、ケース体１４の内部に充填される樹脂封止部材１５とを備えている。ケース体１４は、上面が開口する略直方体の箱状に形成されるケース本体１６と、ケース本体１６の上面の開口を塞ぐカバー１７とから構成されている。なお、図２、図４では、樹脂封止部材１５およびカバー１７の図示を省略している。
【００２９】
コア１１は、薄い磁性板が積層されて形成された積層コアである。コア１１は、別体で形成される複数のコア分割体２１〜２５を備えている。本形態のコア１１は、別体で形成される５個のコア分割体２１〜２５によって構成されている。５個のコア分割体２１〜２５は、一体化されている。すなわち、コア１１は、別体で形成される５個のコア分割体２１〜２５が一体化されることで形成されている。上述のように、コア１１は、薄い磁性板が積層されて形成された積層コアであるため、コア分割体２１〜２５も、薄い磁性板が積層されて形成された積層コアである。
【００３０】
コア分割体２１〜２５は、直線の棒状に形成されている。具体的には、コア分割体２１〜２５は、細長い略四角柱状に形成されている。コア分割体２１〜２４は、コア分割体２１〜２４の長手方向と前後方向とが一致するように配置されている。また、コア分割体２１〜２４は、左右方向に一定の間隔をあけた状態で配置されている。すなわち、コア分割体２２〜２４は、コア分割体２１と平行に配置されている。コア分割体２１〜２４は、左右方向の一方から他方に向かってこの順番で配置されている。
【００３１】
コア分割体２５は、コア分割体２５の長手方向と左右方向とが一致するように配置されている。コア分割体２１〜２４の一端部は、コア分割体２５に固定されている。具体的には、コア分割体２１〜２４の後端部２１ａ〜２４ａがコア分割体２５に固定されている。本形態のコア分割体２１は、第１コア分割体であり、コア分割体２２は、第２コア分割体であり、コア分割体２３は、第３コア分割体であり、コア分割体２４は、第４コア分割体であり、コア分割体２５は、連結コア分割体である。
【００３２】
コア分割体２１とコア分割体２４とは、同形状に形成されている。また、コア分割体２２とコア分割体２３とは、同形状に形成されている。コア分割体２１、２４の厚さ（上下方向の厚さ）とコア分割体２２、２３の厚さ（上下方向の厚さ）とは、等しくなっている。また、コア分割体２１、２４の幅（左右方向の幅）とコア分割体２２、２３の幅（左右方向の幅）とは、等しくなっている。コア分割体２１、２４の長さは、コア分割体２２、２３の長さよりも長くなっている。コア分割体２１〜２４の後端部２１ａ〜２４ａの左右方向の幅は、コア分割体２１〜２４の、後端部２１ａ〜２４ａ以外の部分の左右方向の幅よりも狭くなっている。
【００３３】
コア分割体２５の厚さ（上下方向の厚さ）は、コア分割体２１〜２４の厚さよりも厚くなっている。コア分割体２５には、後端部２１ａ〜２４ａが嵌る４個の凹部２５ａが形成されている。凹部２５ａは、コア分割体２５の上面から下側に向かって窪んでいる。コア分割体２１〜２４は、後端部２１ａ〜２４ａが凹部２５ａに嵌っている状態でコア分割体２５に固定されている。また、コア分割体２１〜２４は、たとえば、凹部２５ａに塗布される接着剤によってコア分割体２５に固定されている。すなわち、５個のコア分割体２１〜２５は、接着剤で固定されて一体化されている。
【００３４】
コイル１２は、ボビン２７を介してコア１１に巻回されている。具体的には、コイル１２は、コア分割体２１〜２４のそれぞれにボビン２７を介して巻回されており、妨害磁界発生装置１０は、４個のコイル１２を備えている。上述のように、コア分割体２１、２４の長さがコア分割体２２、２３の長さよりも長くなっているため、コア分割体２１、２４に巻回されるコイル１２の長さは、コア分割体２２、２３に巻回されるコイル１２の長さよりも長くなっている。また、コア分割体２１、２４に取り付けられるボビン２７の長さは、コア分割体２２、２３に取り付けられるボビン２７の長さよりも長くなっている。
【００３５】
本形態では、コア分割体２１に巻回されるコイル１２とコア分割体２３に巻回されるコイル１２とが１本の導線によって構成され、コア分割体２２に巻回されるコイル１２とコア分割体２４に巻回されるコイル１２とが１本の導線によって構成されている。導線の端部は、回路基板１３に電気的に接続されている。コア分割体２１に巻回されるコイル１２の巻回方向とコア分割体２３に巻回されるコイル１２の巻回方向とは逆方向になっている。コア分割体２２に巻回されるコイル１２の巻回方向とコア分割体２４に巻回されるコイル１２の巻回方向とは逆方向になっている。
【００３６】
コイル１２は、コイル１２に交流を供給する交流電源回路に接続されている。コイル１２に交流が供給されると、磁力線の向きがコア分割体２１の前端面２１ｂおよびコア分割体２３の前端面２３ｂのいずれか一方から前端面２１ｂおよび前端面２３ｂのいずれか他方に向かう妨害磁界と、磁力線の向きがコア分割体２２の前端面２２ｂおよびコア分割体２４の前端面２４ｂのいずれか一方から前端面２２ｂおよび前端面２４ｂのいずれか他方に向かう妨害磁界とが発生する。
【００３７】
具体的には、コイル１２に交流が供給されると、磁力線の向きが前端面２１ｂから前端面２３ｂに向かう方向と前端面２３ｂから前端面２１ｂに向かう方向とに周期的に変動する妨害磁界（交流磁界）と、磁力線の向きが前端面２２ｂから前端面２４ｂに向かう方向と前端面２４ｂから前端面２２ｂに向かう方向とに周期的に変動する妨害磁界（交流磁界）とが発生する。
【００３８】
なお、コイル１２は、コイル１２が接続される直流電源と、この直流電源に対してコイル１２と並列に接続されるコンデンサとを備える駆動回路に接続されても良い。この場合には、駆動回路のコンデンサとコイル１２とによって共振回路が構成される。また、コイル１２は、直流を交流へ変換するインバータ等の回路を介して直流電源に接続されても良い。また、コイル１２に交流電源が接続される場合および直流電源が接続される場合のいずれの場合であっても、磁力線の向きを変動させるタイミングは周期的でなくても良い。
【００３９】
回路基板１３は、ガラスエポキシ基板等のリジッド基板である。回路基板１３は、回路基板１３の厚さ方向と上下方向とが略一致するように配置されている。回路基板１３には、４個のコイル１２が固定されている。具体的には、回路基板１３の下面に４個のコイル１２が接着剤によって固定されている。コア１１、コイル１２およびボビン２７は、回路基板１３の下側に配置されている。コア１１およびボビン２７は、コイル１２を介して回路基板１３に保持されている。回路基板１３の上面には、各種の電子部品が実装されている。
【００４０】
なお、カード２に記録された磁気データを不正に読み取るためのスキミング用の磁気ヘッド８０（以下、「スキミング用磁気ヘッド８０」とする。）は、図１に示すように、カード挿入口３の前方であって、かつ、カード移動路６よりも下側に配置されると想定される。したがって、妨害磁界発生装置１０が発生させる妨害磁界の影響をスキミング用磁気ヘッド８０に対して効果的に与えるために、コア分割体２１〜２４は、前側に向かうにしたがって、わずかに下側に向かうように傾斜している。また、コア分割体２１〜２４がこのように傾斜しているために、回路基板１３の前端は、回路基板１３の後端よりもわずかに下側に配置されており、回路基板１３は、前後方向に対してわずかに傾いている。
【００４１】
ケース本体１６には、回路基板１３を支持する基板支持部１６ａ、１６ｂが形成されている（図３参照）。基板支持部１６ａ、１６ｂの上端面は、平面となっており、基板支持部１６ａ、１６ｂは、回路基板１３の下面に接触して回路基板１３を下側から支持する。基板支持部１６ａは、ケース本体１６の内部の後端側に形成され、基板支持部１６ｂは、ケース本体１６の内部の前端側に形成されている。すなわち、基板支持部１６ａは、回路基板１３の後端部を下側から支持し、基板支持部１６ｂは、回路基板１３の前端部を下側から支持する。
【００４２】
また、基板支持部１６ａは、ケース本体１６の内部の左右の両端の２箇所に形成されている（図４参照）。基板支持部１６ｂは、ケース本体１６の内部の左右の両端側の２箇所に形成されている。２個の基板支持部１６ｂは、２個の基板支持部１６ａよりも左右方向の内側に配置されている。回路基板１３の後端部は、２個の基板支持部１６ａによって支持され、回路基板１３の前端部は、２個の基板支持部１６ｂによって支持されている。
【００４３】
回路基板１３の前後の両端面は、ケース本体１６の内側面に軽く接触しているか、あるいは、回路基板１３の前後の両端面と、ケース本体１６の内側面との間にはわずかな隙間が形成されている。同様に、回路基板１３の左右の両端面は、ケース本体１６の内側面に軽く接触しているか、あるいは、回路基板１３の左右の両端面と、ケース本体１６の内側面との間にはわずかな隙間が形成されている。
【００４４】
カバー１７は、長方形の平板状に形成されている。カバー１７は、カバー１７の厚さ方向と上下方向とが一致するように配置されている。上述のように、カバー１７は、ケース本体１６の上面の開口を塞いでいる。
【００４５】
上述のように、コア１１、コイル１２および回路基板１３は、ケース体１４に収容されている。すなわち、コア１１、コイル１２、回路基板１３およびボビン２７は、ケース体１４に収容されている。また、上述のように、ケース体１４の内部には、樹脂封止部材１５が充填されている。すなわち、コア１１、コイル１２、回路基板１３およびボビン２７は、樹脂封止部材１５に覆われている。樹脂封止部材１５は、ウレタン樹脂等のポッティング樹脂である。樹脂封止部材１５の硬度は、比較的低くなっており、たとえば、４２度程度となっている。本形態では、樹脂封止部材１５によって、コア１１、コイル１２および回路基板１３の防水性が確保されているとともに、回路基板１３に実装される電子部品およびコイル１２の放熱性が確保されている。
【００４６】
コア１１、コイル１２およびボビン２７は、ケース本体１６の内側面に接触しないようにケース本体１６の内側面から離れている。すなわち、コア１１、コイル１２およびボビン２７は、ケース体１４の内側面に接触しないようにケース体１４の内側面から離れている。コア１１、コイル１２およびボビン２７と、ケース本体１６の内側面との間には、樹脂封止部材１５の一部が配置されている。すなわち、コア１１、コイル１２およびボビン２７と、ケース体１４の内側面との間には、樹脂封止部材１５の一部が配置されている。なお、上述のように、コア１１、コイル１２およびボビン２７は、回路基板１３の下側に配置されており、カバー１７の下面から離れている。すなわち、コア１１、コイル１２およびボビン２７は、カバー１７の下面に接触していない。
【００４７】
本形態では、コア１１、コイル１２およびボビン２７が取り付けられた回路基板１３の下面を基板支持部１６ａ、１６ｂの上端面に接触させた状態で、ケース本体１６の内部に樹脂封止部材１５を充填して、コア１１、コイル１２、回路基板１３およびボビン２７を樹脂封止部材１５で覆い、その後、カバー１７をケース本体１６の上端部に固定する。回路基板１３の後端面には、回路基板１３の下側へ樹脂封止部材１５を充填するためのディスペンサが挿入される半円弧状の複数の切欠き部１３ａが形成されている。
【００４８】
カードリーダ１では、カード挿入口３にカード２が挿入されてカードリーダ１の内部にカード２が取り込まれる際に、たとえば、カード挿入口３に挿入されたカード２の全体がカード挿入部４の内部に取り込まれるまで、妨害磁界発生装置１０が妨害磁界を発生させる。また、カードリーダ１では、カード挿入口３からカード２が排出される際に、たとえば、ユーザによるカード２の引抜きが可能となる位置まで搬送されたカード２がユーザによって引き抜かれるまで、妨害磁界発生装置１０が妨害磁界を発生させる。すなわち、磁気ヘッド７による磁気データの読取時や記録時には、妨害磁界発生装置１０は妨害磁界を発生させていない。
【００４９】
（本形態の主な効果）
以上説明したように、本形態では、ケース体１４に収容されるコア１１、コイル１２およびボビン２７は、ケース体１４の内側面に接触しないようにケース体１４の内側面から離れている。そのため、本形態では、コイル１２に交流が供給されたときのコア１１の振動がケース体１４に伝達されるのを抑制することが可能になる。したがって、本形態では、コア１１、コイル１２およびボビン２７が収容されるケース体１４が設けられていても、妨害磁界発生装置１０から発生する騒音を抑制することが可能になる。
【００５０】
本形態では、コア１１は、別体で形成される５個のコア分割体２１〜２５によって構成されている。そのため、本願発明者の検討によれば、個々のコア分割体２１〜２５の固有振動数を高くして、個々のコア分割体２１〜２５の固有振動数を人間の可聴周波数帯域からずらすことが可能になる。また、本形態では、人間の可聴周波数帯域から固有振動数をずらすことが可能になる５個のコア分割体２１〜２５が一体化されてコア１１が形成されているため、本願発明者の検討によれば、コイル１２を小型化しても、妨害磁界発生装置１０から発生する騒音を抑制することが可能になる。
【００５１】
本形態では、コア１１、コイル１２およびボビン２７と、ケース体１４の内側面との間に、樹脂封止部材１５の一部が配置されている。そのため、本形態では、樹脂封止部材１５の一部によって、コア１１、コイル１２およびボビン２７がケース体１４の内側面に接触していない状態を確実に維持することが可能になる。なお、本形態では、樹脂封止部材１５の硬度が比較的低くなっているため、コア１１、コイル１２およびボビン２７と、ケース体１４の内側面との間に、樹脂封止部材１５の一部が配置されていても、コア１１の振動がケース体１４に伝達されるのを抑制することが可能になる。
【００５２】
本形態では、コイル１２は、回路基板１３に固定されている。また、本形態では、コア１１およびボビン２７は、コイル１２を介して回路基板１３に保持されており、ケース本体１６に収容される前のコア１１、コイル１２、回路基板１３およびボビン２７は、一体となっている。そのため、本形態では、コア１１、コイル１２、回路基板１３およびボビン２７をケース本体１６に収容する際の、コア１１、コイル１２、回路基板１３およびボビン２７の取り扱いが容易になる。
【００５３】
本形態では、コア１１、コイル１２およびボビン２７が取り付けられた回路基板１３を支持する基板支持部１６ａ、１６ｂがケース本体１６に形成されている。そのため、本形態では、基板支持部１６ａ、１６ｂを利用して、コア１１、コイル１２およびボビン２７がケース体１４の内側面に接触しないように、コア１１、コイル１２、回路基板１３およびボビン２７をケース体１４に対して位置決めすることが可能になる。したがって、本形態では、コア１１、コイル１２およびボビン２７がケース体１４の内側面から離れた状態を容易に維持しつつ、コア１１、コイル１２およびボビン２７とケース体１４の内側面との間に樹脂封止部材１５の一部を充填することが可能になる。その結果、本形態では、コア１１、コイル１２およびボビン２７とケース体１４の内側面との間に樹脂封止部材１５の一部を充填する際の作業を容易に行うことが可能になる。
【００５４】
本形態では、コア１１を構成する５個のコア分割体２１〜２５が直線の棒状に形成されている。そのため、本形態では、コア分割体２１〜２５を容易に形成することが可能になる。
【００５５】
（コアの変形例）
上述した形態において、コア分割体２１〜２４は、後端部２１ａ〜２４ａが凹部２５ａに圧入されることで、コア分割体２５に固定されていても良い。また、上述した形態では、コア１１は、コイル１２が巻回される４個のコア分割体２１〜２４を備えているが、コア１１は、コイル１２が巻回される２個または３個のコア分割体を備えていても良いし、コイル１２が巻回される５個以上のコア分割体を備えていても良い。
【００５６】
また、上述した形態において、コア１１は、４個以下のコア分割体によって構成されていても良いし、６個以上のコア分割体によって構成されていても良い。たとえば、コア１１は、図６に示すように、４個のコア分割体３１〜３４によって構成されていても良い。この場合には、たとえば、上述した形態におけるコア分割体２５が４分割されるとともに、４分割されたコア分割体２５のそれぞれがコア分割体２１〜２４のそれぞれと一体になることで、コア分割体３１〜３４のそれぞれが形成されている。また、４個のコア分割体３１〜３４は、接着剤で固定されて一体化されている。
【００５７】
また、上述した形態では、コア１１は、別体で形成される５個のコア分割体２１〜２５によって構成されているが、コア１１は、一体で形成されていても良い。すなわち、上述した形態では、コア１１は、コア分割体２１〜２５に分割されているが、コア１１は、コア分割体に分割されていなくても良い。
【００５８】
（回路基板の変形例）
図７は、本発明の他の実施の形態にかかる妨害磁界発生装置１０の斜視図である。図８は、図７に示す妨害磁界発生装置１０の断面図である。図９は、図８のＥ−Ｅ方向からコア１１、コイル１２および回路基板４３を示す図である。
【００５９】
上述した形態において、妨害磁界発生装置１０は、リジッド基板である回路基板１３に代えて、リジッドフレキシブル基板である回路基板４３を備えていても良い。回路基板４３には、４個のコイル１２が電気的に接続されている。以下、回路基板４３の構成および回路基板４３を備える妨害磁界発生装置１０の構成を説明する。なお、図７〜図９では、図１〜図５に示す構成と共通する構成には、同一の符号を付している。また、図７〜図９では、ボビン２７の図示を省略し、図７では、樹脂封止部材１５の図示を省略している。
【００６０】
図７〜図９に示す変形例では、コア分割体２１〜２４は、前側に向かうにしたがって下側に向かうように傾斜している。この変形例では、コア分割体２１〜２４の傾斜角度は、図１〜図５に示すコア分割体２１〜２４の傾斜角度よりも大きくなっている。なお、この変形例では、図９に示すように、断面形状が長方形状となる４個のコア分割体２１〜２４のうちの、コア分割体２１、２２は、コア分割体２１、２２の断面の短手方向と左右方向とが一致するように配置され、コア分割体２３、２４は、コア分割体２３、２４の断面の長手方向と左右方向とが一致するように配置されている。また、この変形例では、コア分割体２１〜２４の長さは、等しくなっている。
【００６１】
回路基板４３は、２個のリジッド基板４３ａ、４３ｂと、２個のリジッド基板４３ａ、４３ｂを繋ぐフレキシブルプリント基板４３ｃとを備えている。また、回路基板４３は、リジッド基板４３ｂから引き出されるフレキシブルプリント基板４３ｄを備えている。リジッド基板４３ａは、斜め前上側からコア１１および４個のコイル１２を覆っている。リジッド基板４３ｂは、斜め後ろ下側からコア１１および４個のコイル１２を覆っている。すなわち、コア１１およびコイル１２は、リジッド基板４３ａとリジッド基板４３ｂとに挟まれている。
【００６２】
また、フレキシブルプリント基板４３ｃは、リジッド基板４３ａの左右方向の一端とリジッド基板４３ｂの左右方向の一端とを繋いでいる。また、フレキシブルプリント基板４３ｃは、１８０°に折り曲げられて湾曲しており、左右方向の一方側からコア１１および４個のコイル１２を覆っている。すなわち、回路基板４３は、コア１１およびコイル１２を３方向から覆っており、コア１１およびコイル１２は、回路基板４３によって３方向から包まれている。より具体的には、回路基板４３は、コア１１、コイル１２およびボビン２７を３方向から覆っており、コア１１、コイル１２およびボビン２７は、回路基板４３によって３方向から包まれている。
【００６３】
フレキシブルプリント基板４３ｄは、リジッド基板４３ｂの後ろ上端部から後ろ側に向かって引き回されている。リジッド基板４３ａ、４３ｂおよびフレキシブルプリント基板４３ｃは、ケース体１４（ケース本体１６）に収容されている。また、フレキシブルプリント基板４３ｄの一部は、ケース体１４に収容されているが、フレキシブルプリント基板４３ｄには、ケース体１４に収容されていない部分もある。すなわち、回路基板４３の一部は、ケース体１４に収容されている。
【００６４】
回路基板４３には、４個のコイル１２が固定されている。たとえば、コア分割体２１、２２に巻回された２個のコイル１２がリジッド基板４３ａに接着剤によって固定され、コア分割体２３、２４に巻回された２個のコイル１２がリジッド基板４３ｂに接着剤によって固定されている。
【００６５】
ケース本体１６には、回路基板４３を支持する基板支持部１６ｅ、１６ｆが形成されている。すなわち、ケース体１４には、回路基板４３を支持する基板支持部１６ｅ、１６ｆが形成されている。基板支持部１６ｅは、リジッド基板４３ａの下端面に接触して、リジッド基板４３ａを斜め前下側から支持している。基板支持部１６ｆは、リジッド基板４３ｂの下端面に接触して、リジッド基板４３ｂを斜め前下側から支持している。
【００６６】
リジッド基板４３ｂの後ろ上端部に繋がるフレキシブルプリント基板４３ｄの下端部は、ケース本体１６の後ろ側の内側面に接触しており、ケース本体１６は、フレキシブルプリント基板４３ｄの下端部を支持している。また、フレキシブルプリント基板４３ｃは、ケース本体１６の左右方向の一方の内側面に軽く接触しているか、あるいは、フレキシブルプリント基板４３ｃとケース本体１６の左右方向の一方の内側面との間には、わずかな隙間が形成されている。
【００６７】
図７〜図９に示す変形例では、上述した形態と同様に、ケース体１４の内部に、樹脂封止部材１５が充填されている。すなわち、コア１１、コイル１２、ボビン２７、リジッド基板４３ａ、４３ｂ、フレキシブルプリント基板４３ｃおよびフレキシブルプリント基板４３ｄの一部は、樹脂封止部材１５に覆われている。また、上述した形態と同様に、コア１１、コイル１２およびボビン２７は、ケース体１４の内側面に接触しないようにケース体１４の内側面から離れており、コア１１、コイル１２およびボビン２７と、ケース体１４の内側面との間には、樹脂封止部材１５の一部が配置されている。
【００６８】
この変形例では、コア１１、コイル１２およびボビン２７を３方向から覆った状態の回路基板４３のリジッド基板４３ａの下端面を基板支持部１６ｅに接触させるとともに、リジッド基板４３ｂの下端面を基板支持部１６ｆに接触させた状態で、ケース体１４の内部に樹脂封止部材１５を充填して、コア１１、コイル１２、ボビン２７、リジッド基板４３ａ、４３ｂ、フレキシブルプリント基板４３ｃおよびフレキシブルプリント基板４３ｄの一部を樹脂封止部材１５で覆う。
【００６９】
図７〜図９に示す変形例では、コア１１、コイル１２およびボビン２７を３方向から覆う回路基板４３によって、コア１１、コイル１２およびボビン２７がケース体１４の内側面に接触していない状態をより確実に維持することが可能になる。また、この変形例では、コア１１、コイル１２およびボビン２７を３方向から覆う回路基板４３によって、犯罪者によるコイル１２等の破壊行為を阻止しやすくなる。また、この変位例では、リジッド基板４３ａ、４３ｂおよびフレキシブルプリント基板４３ｃ、４３ｄが一体になっているため、回路基板４３の取り扱いが容易になる。
【００７０】
なお、コア１１、コイル１２およびボビン２７は、回路基板４３によって４方向から覆われていても良いし、５方向または６方向から覆われていても良い。また、コア１１、コイル１２およびボビン２７は、別体で形成される複数個のリジッド基板によって３方向、４方向、５方向または６方向から覆われていても良い。さらに、回路基板４３の全体がケース体１４に収容されていても良い。
【００７１】
（他の実施の形態）
上述した形態は、本発明の好適な形態の一例ではあるが、これに限定されるものではなく本発明の要旨を変更しない範囲において種々変形実施が可能である。
【００７２】
上述した形態において、ケース本体１６に基板支持部１６ａ、１６ｂが形成されていなくても良い。この場合には、たとえば、コア１１、コイル１２およびボビン２７とケース体１４の内側面とが接触しないように、ケース本体１６の底面側に樹脂封止部材１５の一部を注入して硬化させてから、コア１１、コイル１２およびボビン２７が取り付けられた回路基板１３をケース本体１６の内部に配置した後、残りの樹脂封止部材１５をケース体１４の内部に充填する。
【００７３】
また、上述した形態において、コイル１２は、回路基板１３に固定されていなくても良い。この場合にも、たとえば、コア１１、コイル１２およびボビン２７とケース体１４の内側面とが接触しないように、ケース本体１６の底面側に樹脂封止部材１５の一部を注入して硬化させてから、コア１１、コイル１２およびボビン２７をケース本体１６の内部に配置するとともに回路基板１３を配置した後、残りの樹脂封止部材１５をケース体１４の内部に充填する。
【００７４】
また、図７〜図９に示す変形例において、ケース本体１６に基板支持部１６ｅ、１６ｆが形成されていなくても良い。また、図７〜図９に示す変形例において、コイル１２は、回路基板４３に固定されていなくても良い。
【００７５】
上述した形態において、コア１１とコイル１２との間の絶縁を確実に行えるのであれば、コア１１にコイル１２が直接巻回されていても良い。また、上述した形態において、カード２のおもて面に磁気ストライプが形成されても良いし、カード２の裏面とおもて面との両面に磁気ストライプが形成されても良い。また、上述した形態において、カードリーダ１は、ユーザが手動でカード２を移動させながら、磁気データの読取りや記録を行う手動式のカードリーダであっても良い。
【符号の説明】
【００７６】
１  カードリーダ
２  カード
１０  妨害磁界発生装置
１１  コア
１２  コイル
１３  回路基板
１４  ケース体
１５  樹脂封止部材
１６ａ、１６ｂ、１６ｅ、１６ｆ  基板支持部
２１  コア分割体（第１コア分割体）
２２  コア分割体（第２コア分割体）
２３  コア分割体（第３コア分割体）
２４  コア分割体（第４コア分割体）
２５  コア分割体（連結コア分割体）
３１〜３４  コア分割体
４３  回路基板
４３ａ、４３ｂ  リジッド基板
４３ｃ  フレキシブルプリント基板
【図１】
2019175529.tif 000003
【図２】
2019175529.tif 000004
【図３】
2019175529.tif 000005
【図４】
2019175529.tif 000006
【図５】
2019175529.tif 000007
【図６】
2019175529.tif 000008
【図７】
2019175529.tif 000009
【図８】
2019175529.tif 000010
【図９】
2019175529.tif 000011